(57)【要約】      （修正有）【課題】中空体内に超小型の強力永久磁石を内蔵し他の強力磁石に近づけても影響を受けることなく素早く、正確に作動する構造簡単にして軽量かつ小型の携帯に便利な方計磁石を安価に提供する。【解決手段】中空体２を二分割した下半体２ａの開口縁２ｇの一部に突起や刻印や塗布等による目印２ｂを付け、前記下半体２の内底面２ｃの超小型強力永久磁石１を固定する位置には、前記超小型強力永久磁石１を嵌入固定する凹部２ｄを形成し、前記凹部２ｄ内に前記目印２ｂにＮ極またはＳ極に合わせて水平方向に着磁した超小型強力永久磁石１を嵌入固定するとともに、外表面所要箇所に「東」「西」、「南」「北」等の方位・方角表示、または矢印その他神社、仏閣、守り本尊、名所、史跡、仏像、建造物、人物、キャラクターのような適宜の表示３を施した上半体２ｅの外周縁２ｆを前記下半体２ａの開口縁２ｇの内側に合わせて嵌合する。【選択図】図１
0003131548.tif 000002
【実用新案登録請求の範囲】
【請求項１】
超小型強力永久磁石（１）を内蔵する中空体（２）を上下二分割してその下半体（２ａ）の一部に目印（２ｂ）を付け、前記下半体（２ａ）の内底面（２ｃ）の超小型強力永久磁石（１）を固定する位置には、前記超小型強力永久磁石（１）を嵌入固定する凹部（２ｄ）を形成し、前記目印（２ｂ）にＮ極またはＳ極を合わせて水平方向に着磁した超小型強力永久磁石（１）を嵌入固定するとともに、外表面所要箇所に「東」「西」、「南」「北」等の方位・方角表示、矢印その他適宜の表示（３）を施した上半体（２ｅ）の外周縁（２ｆ）を、前記下半体（２ａ）の開口縁（２ｇ）の内側に合わせて嵌合し超小型強力永久磁石（１）を内蔵する中空体（２）を形成し、さらに透明な球体容器（４）を上下二分割して形成した下半球体（４ａ）と上半球体（４ｂ）とを嵌合させた球体容器（４）の中に、透明液体（５）に浮遊させて前記超小型強力永久磁石（１）を内蔵する中空体（２）を封入したことを特徴とする携帯用小型方計磁石。
【考案の詳細な説明】
【技術分野】
【０００１】  本考案は、強力な磁石に近づけても影響されない超小型の永久磁石を使用し、しかも浮力を損なわずに素早く、かつ正確に作動する軽量・小型の携帯に便なる携帯用小型方計磁石に関するものである。
【背景技術】
【０００２】  従来、支軸および磁針を用いない液体浮遊型方計磁石としては、例えば実用新案登録第３０７６８７０号公報、実公昭４４−２８１５１号公報等が公知である。
【特許文献１】実用新案登録第３０７６８０号公報
【特許文献２】実公昭４４−２８７５１号公報
【考案の開示】
【考案が解決しようとする課題】
【０００３】  ところが、上記従来技術のものは、これを例えばアクセサリーを兼ねた携帯ストラップのように小型化して携帯電話等に取付け使用した場合には、大きさが大き過ぎてストラップとしては不向きであるという問題点があった。【０００４】  さらにまた、上記従来技術のものは、いずれも透明液体内に浮遊させる中空体の下半体外底部の中央部に垂直に筒部を形成し、この中に重い球体を回転自在に嵌合して前記中空体の姿勢・位置を素早く正確な箇所に安定させるようにしていたため、構造が複雑となり、重量が重く、全体としてコスト高となる等の問題点があった。
【問題を解決するための手段】
【０００５】  本考案の携帯用小型方計磁石は、上記課題を解決することを目的とし、超小型強力永久磁石（１）を内蔵する中空体（２）を上下二分割してその下半体（２ａ）の一部に目印（２ｂ）を付け、前記下半体（２ａ）の内底面（２ｃ）の超小型強力永久磁石（１）を固定する位置には、前記超小型強力永久磁石（１）を嵌入固定する凹部（２ｄ）を形成し、前記目印（２ｂ）にＮ極またはＳ極を合わせて水平方向に着磁した超小型強力永久磁石（１）を嵌入固定するとともに、外表面所要箇所に「東」「西」、「南」「北」等の方位・方角表示、矢印その他適宜の表示（３）を施した上半体（２ｅ）の外周縁（２ｆ）を、前記下半体（２ａ）の開口縁（２ｇ）の内側に合わせて嵌合し超小型強力永久磁石（１）を内蔵する中空体（２）を形成し、さらに透明な球体容器（４）を上下二分割して形成した下半球体（４ａ）と上半球体（４ｂ）とを嵌合させた球体容器（４）の中に、透明液体（５）に浮遊させて前記超小型強力永久磁石（１）を内蔵する中空体（１）を封入したことを特徴とする携帯用小型方計磁石。
【考案の効果】
【０００６】  本考案の携帯用小型方計磁石によれば、中空体（２）に内蔵する磁石を超小型の強力な永久磁石（１）とすることにより、例えば携帯電話等のストラップとして用いても携帯電話の磁石の磁力に影響されることなく、方計磁石としての機能を充分に果たすことができる効果がある。
【０００７】  また、透明液体に浮遊させた中空体の内底部の中央部に垂直に筒部を形成しこの中に重い球体を回転自在に嵌合して中空体の姿勢をコントロールする必要がないので、その分構造が簡単となり、小型化かつ軽量化ができ安価に提供することができる効果がある。
【０００８】  また、中空体（２）内に内蔵する磁石を超小型の強力な永久磁石としたため、中空体（２）自体の浮力も損われず、摩擦抵抗も小さくその結果、素早くかつ正確に作動できる効果がある。
要するに本考案によれば、強力な磁石に近づけてもこれに影響されることなく、方計磁石としての正確な作動ができるとともに構造が簡単で、重量も軽く、製作が容易でしかも低コストで提供することができるという効果を有するものである。
【考案を実施するための最良の形態】
【０００９】  本考案の携帯用小型方計磁石において、軽量・小型にして携帯に便なるものであることは勿論のこと、ストラップタイプ、その他形態に特に限定されるものでない。
【実施例】
【００１０】  以下、図面を参照して本考案に係る携帯用小型方計磁石の実施の形態を詳細に説明する。
図１乃至図４において、本考案の一実施例を説明するためのものであって、図１は本考案の携帯用小型方計磁石の縦断面図、図２は超小型強力永久磁石を内蔵する中空体を上下二分割してその下半球体平面図、図３は透明な球体容器内の中の透明体に浮遊させた前記超小型強力永久磁石を内蔵する中空体の平面図、図４は本考案の携帯用小型方計磁石の側面図である。【００１１】  図１乃至図４において、１は超小型強力永久磁石であって、公知のものであり、その形態は棒状その他適宜形態からなるものである。２は前記超小型強力永久磁石を内蔵する中空体であって、前記中空体２を二分割した下半体２ａの開口縁２ｇの一部に突起や刻印や塗布等による目印２ｂを付け、前記下半体２の内底面２ｃの超小型強力永久磁石１を固定する位置には、前記超小型強力永久磁石１を嵌入固定する凹部２ｄを形成し、前記凹部２ｄ内に前記目印２ｂにＮ極またはＳ極に合わせて水平方向に着磁した超小型強力永久磁石１を嵌入固定するとともに、外表面所要箇所に「東」「西」、「南」「北」等の方位・方角表示、または矢印その他神社、仏閣、守り本尊、名所、史跡、仏像、建造物、人物、キャラクターのような適宜の表示３を施した上半体２ｅの外周縁２ｆを前記下半体２ａの開口縁２ｇの内側に合わせて嵌合し、超小型強力磁石１を内蔵する中空体２（コンパスボール）を組立て形成する。【００１２】  ４は、透明な球体容器であって、上下二分割して形成した下半球体４ａと上半球体４ｂとを嵌合させるとともに内部に公知の浮遊用の透明液体５に浮遊させて前記超小型強力磁石１を内蔵する中空体２を封入して液体封入方計磁石を構成する。なお、前記球体容器４の中の中空体２は内蔵された超小型強力永久磁石１の重みで透明液体５の中に沈むようになっている。【００１３】  図１、図４において６は、中空体２を携帯電話その他適宜の物品（図示せず）に着脱自在に連結するための連結体であって屈曲自在な適宜の材料で形成されている。
【産業上の利用可能性】
【００１４】  なお、本実施例では携帯用小型方計磁石について説明したが、これに限らず他の置物用等の小型方計磁石に適用できること勿論である。
【図面の簡単な説明】
【００１５】
【図１】  本考案に係る携帯用小型方計磁石の縦断側面図である。
【図２】  同本考案に係る中空体を二分割した下半体の平面図である。
【図３】  同本考案に係る透明液体中に中空体を浮遊させた球体容器の横断面図である。
【図４】  同本考案に係る携帯用小型方計磁石の側面図である。
【符号の説明】
【００１６】  １      超小型強力永久磁石
２      中空体
２ａ    下半体
２ｂ    目印
２ｃ    内底面
２ｄ    凹部
２ｅ    上半体
２ｆ    開口縁
３      表示
４      球体容器
４ａ    下半球体
４ｂ    上半球体
５      透明液体
６      連結体
【図１】
0003131548.tif 000003
【図２】
0003131548.tif 000004
【図３】
0003131548.tif 000005
【図４】
0003131548.tif 000006